(57)【要約】      （修正有）【課題】個人住宅内の異常報知器を一括して管理可能であり、持ち運びが簡単な異常発生源特定装置を提供する。【解決手段】異常発生源特定装置は、予め前記建物内の複数の位置に設置された異常報知器の個別情報を記憶する記憶手段と、前記記憶手段に記憶されたいずれかの異常報知器が作動した際に、前記異常報知器より送信された異常を知らせる異常信号を受信する受信部と、前記受信部で受信された異常信号とともに、予め記憶手段に記憶された異常報知器の個別情報とを元に、どの位置に設置された異常報知器が作動しているかを表示する表示部と、前記受信部で異常信号を受信すると、音声信号および／または光信号を発生する信号発生手段と、これら各部を駆動する動力源とにより構成する。【選択図】図１
0003143641.tif 000002
【実用新案登録請求の範囲】
【請求項１】
予め複数の位置に異常報知器が設置された建物において異常が発生した際に、前記建物のどこに設置された異常報知器が作動しているかを特定する異常発生源特定装置であって、
少なくとも前記異常発生源特定装置は、
予め前記建物内の複数の位置に設置された異常報知器の個別情報を記憶する記憶手段と、
前記記憶手段に記憶されたいずれかの異常報知器が作動した際に、前記異常報知器より送信された異常を知らせる異常信号を受信する受信部と、
前記受信部で受信された異常信号とともに、予め記憶手段に記憶された異常報知器の個別情報とを元に、どの位置に設置された異常報知器が作動しているかを表示する表示部と、
前記受信部で異常信号を受信すると、音声信号および／または光信号を発生する信号発生手段と、
これら各部を駆動する動力源と、
を有し、
さらに持ち運び自在に構成されていることを特徴とする異常発生源特定装置。
【請求項２】
前記動力源として、プラグにコンセントを差し込むことで電力供給可能とするＡＣアダプターが用いられることを特徴とする請求項１に記載の異常発生源特定装置。
【請求項３】
前記動力源として、蓄電池が用いられることを特徴とする請求項１に記載の異常発生源特定装置。
【請求項４】
前記信号発生手段において発生される音声が、どの位置に設置された異常報知器が作動しているかを認識可能な位置情報報知音であることを特徴とする請求項１から３のいずれかに記載の異常発生源特定装置。
【請求項５】
前記信号発生手段において発生される光信号が、どの位置に設置された異常報知器が作動しているかを認識可能な位置情報報知光信号であることを特徴とする請求項１から４のいずれかに記載の異常発生源特定装置。
【請求項６】
前記異常報知器が、煙または熱を感知する火災報知器および／または異常の際に自らが異常を知らせる緊急報知器であることを特徴とする請求項１から５のいずれかに記載の異常発生源特定装置。
【請求項７】
前記建物が、個人住宅であることを特徴とする請求項１から６のいずれかに記載の異常発生源特定装置。
【考案の詳細な説明】
【技術分野】
【０００１】
本考案は、予め複数の箇所に異常報知器が設置された建物内において、例えば火災が発生した際に、建物内のどこに設置された異常報知器が作動しているかを特定する異常発生源特定装置に関する。
【背景技術】
【０００２】
従来より、例えば建物内で煙や熱を感知した際に、光信号や音声信号を発生して建物内での異常を知らせるようにした火災報知器に代表される異常報知器が広く用いられている。
【０００３】
このような異常報知器は、特にオフィスビルや集合住宅などに設置されており、火災が発生した場合、火災の発生源付近に設置された異常報知器は、煙や熱を煙感知センサーや熱感知センサーで感知すると光信号や音声信号が発せられるようになっている。
【０００４】
オフィスビルや集合住宅では、設置されている複数の異常報知器を管理室などで一括して管理しており、異常報知器の作動の際には管理室で異常報知器の作動箇所が分かるようになっている。
【０００５】
このため、オフィスビルや集合住宅で火災が発生しても迅速な対応が可能であり、被害が抑えることができる。
一方、個人住宅においても異常報知器の設置が盛んになっており、今後の設置義務化の流れにより個人レベルでも防災意識の高まりが増している。
【考案の開示】
【考案が解決しようとする課題】
【０００６】
ところでこのような個人住宅では、異常報知器を複数の箇所に設置しても、これらを一括管理することが行われない場合が多い。
このため、例えば火災などで異常報知器が作動しても、住宅内のどこに設置された異常報知器が作動しているかについては、音声を頼りに実際にそばまで行かないと把握できない場合があった。
【０００７】
また、作動している異常報知器から離れた場所に居ると、作動していること自体に気付かず、結果として被害が拡大してしまう場合があった。
さらに、個人住宅において異常報知器を一括管理している場合であっても、通常、これらを管理する管理装置は壁などに固定されて設置されているため、管理装置から離れた場所に移動してしまうと状況が把握できず、せっかく管理装置があってもこれが役に立っていない場合があるのが現状である。
【０００８】
本考案はこのような現状に鑑み、個人住宅内の異常報知器を一括して管理可能であり、しかも持ち運びが簡単にでき、異常発生時に直ぐに状況を把握して迅速に対応可能な異常発生源特定装置を提供することを目的とする。
【課題を解決するための手段】
【０００９】
本考案は、前述したような従来技術における課題および目的を達成するために考案されたものであって、
本考案の異常発生源特定装置は、
予め複数の位置に異常報知器が設置された建物において異常が発生した際に、前記建物
のどこに設置された異常報知器が作動しているかを特定する異常発生源特定装置であって、
少なくとも前記異常発生源特定装置は、
予め前記建物内の複数の位置に設置された異常報知器の個別情報を記憶する記憶手段と、
前記記憶手段に記憶されたいずれかの異常報知器が作動した際に、前記異常報知器より送信された異常を知らせる異常信号を受信する受信部と、
前記受信部で受信された異常信号とともに、予め記憶手段に記憶された異常報知器の個別情報とを元に、どの位置に設置された異常報知器が作動しているかを表示する表示部と、
前記受信部で異常信号を受信すると、音声信号および／または光信号を発生する信号発生手段と、
これら各部を駆動する動力源と、
を有し、
さらに持ち運び自在に構成されていることを特徴とする。
【００１０】
このように異常発生源特定装置が持ち運び自在であれば、常に人の居る場所に異常発生源特定装置を移動させることで、例えば建物内で火災が発生した場合であっても異常報知器の作動している位置を確実に知ることができる。このため、被害を抑えることができる。
【００１１】
さらに、本異常発生源特定装置は、音声信号および／または光信号で異常を知らせる信号発生手段が備えられているため、例えば異常報知器の音声信号が聞こえなかったとしても、この異常発生源特定装置を手元に有することで、音声信号および／または光信号で異常を知ることができる。
【００１２】
また、本考案の異常発生源特定装置は、
前記動力源として、プラグにコンセントを差し込むことで電力供給可能とするＡＣアダプターが用いられることを特徴とする。
【００１３】
このようにＡＣアダプターを用いれば、プラグにコンセントを差し込むだけで電力供給ができるため、建物内の各部屋に簡単に移動ができ取り扱いが容易である。
また、プラグにコンセントを差し込んだ状態であれば、常に異常発生源特定装置を待機状態とすることができるため、緊急時に作動しないなどといったトラブルの発生を極力なくすことができる。
【００１４】
また、本考案の異常発生源特定装置は、
前記動力源として、蓄電池が用いられることを特徴とする。
このように蓄電池を用いれば、住宅内で持ち運ぶ際にプラグを有する箇所に制限されることなくどこへでも移動可能であるため、例えば建物の外にいても使用可能であり、異常発生源特定装置の携帯性をさらに向上させることができる。
【００１５】
また、本考案の異常発生源特定装置は、
前記信号発生手段において発生される音声が、どの位置に設置された異常報知器が作動しているかを認識可能な位置情報報知音であることを特徴とする。
【００１６】
このように、音声がどの位置に設置された異常報知器が作動しているかが認識可能な位置情報報知音であれば、例えば目が不自由であっても、どこで異常報知器が作動しているかを音声で知ることができるため、より早く安全な経路で避難することができる。
【００１７】
さらに健常者にとっても、音声が位置情報報知音であれば、例えば煙などで異常発生源特定装置の表示部を確認できなかったとしても、異常発生位置を知ることができるため、より迅速に対応することができる。
【００１８】
また、本考案の異常発生源特定装置は、
前記信号発生手段において発生される光信号が、どの位置に設置された異常報知器が作動しているかを認識可能な位置情報報知光信号であることを特徴とする。
【００１９】
このように位置情報報知光信号で、どの位置に設置された異常報知器が作動しているかが認識可能としていれば、異常報知器が作動した際に、万が一、表示部が壊れて異常報知器の作動している位置が分からなくても、迅速に対応することができる。
【００２０】
また、本考案の異常発生源特定装置は、
前記異常報知器が、煙または熱を感知する火災報知器および／または異常の際に自らが異常を知らせる緊急報知器であることを特徴とする。
【００２１】
このように異常報知器が火災報知器であれば、火災発生を迅速に知ることができる。また緊急報知器であれば、これを例えばお年寄りに所持してもらい、急な体調不良などの際に操作してもらえば、直ぐに駆けつけて対処することができる。
【００２２】
また、本考案の異常発生源特定装置は、
前記建物が、個人住宅であることを特徴とする。
このように個人住宅であれば、異常報知器の作動箇所が分からなかったり、作動していることに気が付かずに被害を拡大させてしまうことがなく、迅速に対応ができる。
【考案の効果】
【００２３】
本考案によれば、個人住宅内の異常報知器を一括して管理可能であり、表示部によって異常報知器が作動した際に位置を知ることができ、しかもＡＣアダプターや蓄電池を使用することで持ち運びが簡単にでき、異常発生時に直ぐに状況を把握して迅速に対応可能な異常発生源特定装置を提供することができる。
【考案を実施するための最良の形態】
【００２４】
以下、本考案の実施の形態（実施例）を図面に基づいてより詳細に説明する。
図１は、本考案の異常発生源特定装置の概略構造を示した概略構造図、図２は、本考案の異常発生源特定装置の外観を示した外観図、図３は、本考案の異常発生源特定装置を用いた個人住宅の例を示した説明図である。
【００２５】
本考案の異常発生源特定装置は、予め複数の箇所に異常報知器が設置された建物内において、例えば火災が発生した際に、建物内のどこに設置された異常報知器が作動しているかを特定するためのものである。
【００２６】
なお異常報知器については、従来より知られている公知ものを指すものであり、特に限定されるものではないものである。
図１に示したように、本考案の異常発生源特定装置１０は、建物（図示せず）の複数の位置に設置された異常報知器（図示せず）の個別情報を記憶する記憶手段１８と、記憶手段１８に記憶された複数の異常報知器のうちいずれかの異常報知器が作動した際に、この作動した異常報知器より送信された異常信号を受信する受信部２０と、受信部２０で受信された異常信号とともに、予め記憶手段１８に記憶された異常報知器の個別情報とを元に、建物のどこに設置された異常報知器が作動しているかを表示する表示部１６と、受信部２０で異常信号を受信すると音声信号および／または光信号を発生する信号発生手段１２
，１４と、これら各部を駆動する動力源２２と、を有している。
【００２７】
このような異常発生源特定装置１０は、図２に示したように外観は箱型の形態となっており、持ち運びを容易に行えるようになっている。
大きさや形状については、特に限定されるものではないが、持ち運びを容易とするため、例えば寸法は縦１００〜１５０ｍｍ，横５０〜１００ｍｍ，厚さ３０〜６０ｍｍ程度であることが好ましい。
【００２８】
なお、異常発生源特定装置１０の動力源は、例えばＡＣアダプターや蓄電池を用いることができる。特にＡＣアダプターを用いた場合には、異常発生源特定装置１０とともに持ち運ぶことが簡単にでき、プラグにコンセントを差し込むだけで、どこでも簡単に使用ができる。
【００２９】
また、蓄電池を用いた場合には、設置箇所がプラグの位置に限定されないため、ＡＣアダプターを用いた場合よりもさらに設置箇所の自由度を高めることができる。
また、上記した異常発生源特定装置１０では、予め異常報知器の設置された位置毎に異なる番号を付与して記憶手段１８に記憶させておき、異常報知器の作動の際には、図２に示したように作動した異常報知器の番号が表示部１６に表示されるようになっている（図２においては、「２」と表示されている）。
【００３０】
なお、数字以外にも設置された場所をそのまま「台所」，「寝室」のように表示しても良く、作動した異常報知器の位置が確認できるのであれば、如何なる表示の仕方であっても良いものである。
【００３１】
また本異常発生源特定装置１０は、表示部１６で作動した異常報知器を表示するだけでなく、光信号発信手段１２および音声信号発信手段１４により、異常報知器と同様に光信号や音声を発生させることで、異常である旨を知らせることができるようになっている。
【００３２】
なお光信号発信手段１２は、異常報知器が作動した際に光信号を発するようになっているが、例えば位置毎に発光する色を変えたり、また点滅の仕方を位置毎に変えることで異常報知器の位置を特定することができる。
【００３３】
さらに音声信号発信手段１４は、異常報知器が作動した際に音声を発するものであるが、この音声についても、例えば「台所で火災発生」などと位置を特定できるような音声にしても良い。このようにすれば、目が不自由な方にも異常が発生した箇所を確実に伝えることができる。
【００３４】
なお、上記した異常発生源特定装置１０を個人住宅５０に用いた場合の例を以下に記す。
なお、本モデルでは、異常報知器として、火災報知器３０および緊急報知器４０が用いられているものとする。
【００３５】
図３に示した個人住宅５０のモデルでは、例えば子供部屋(１)，寝室(２)，お年寄りの部屋(３)，台所(４)，階段(５)を有しており、それぞれの部屋や部位の天井部分にそれぞれ火災報知器３０が備えられている。なお、(１)〜(５)は各部屋に付された識別番号である。
【００３６】
また、お年寄りの部屋(３)には緊急時に異常を知らせるための緊急報知器４０が置かれ、台所(４)には本考案の異常発生源特定装置１０が置かれている。
本個人住宅５０のモデルでは、子供部屋(１)に子供が１名、お年寄りの部屋(３)にお年
寄りが１名、台所(４)に成人が１名いるものとしている。
【００３７】
本考案の異常発生源特定装置１０は、異常発生時にいち早く状況を把握するために用いられるものであるため、家族内で主体的に行動できる人の移動とともに本異常発生源特定装置１０も移動されるようにすることが好ましい。
【００３８】
本モデルでは、台所(４)に成人が居る設定であることから、台所に異常発生源特定装置１０が設置されている。
またお年寄りは、緊急報知器４０を所持している。この緊急報知器４０は、火災報知器３０と同様に作動すると、作動した旨が異常発生源特定装置１０の表示部に表示されるものである。
【００３９】
さらに、異常発生源特定装置１０の記憶手段１８には、予め各火災報知器３０と緊急報知器４０の個別情報を記憶させてあるものとしており、本個人住宅５０においては、子供部屋に設置された火災報知器３０を「１」，寝室に設置された火災報知器３０を「２」，お年寄りの部屋に設置された火災報知器３０を「３」，台所に設置された火災報知器３０を「４」，階段に設置された火災報知器３０を「５」，お年寄りに渡した緊急報知器４０を「６」として記憶されている。
【００４０】
ここで誰も居ない寝室(２)で火災が発生したとすると、台所にある異常発生源特定装置１０の表示部１６に「２」と表示される。
この際、異常発生源特定装置１０では、表示部１６に位置を表示すると同時に、光信号発信手段１２や音声信号発信手段１４でも異常を知らせることとなり、見落としが無いようになっている。
【００４１】
そして異常発生源特定装置１０を確認した成人は、真っ先に寝室(２)に向かって火災を消化する。
また異常発生源特定装置１０を確認した成人は、１階にいながらにして２階の火元の位置を知ることができるため、火元に到着する前に、子供部屋(１)にいる子供に「部屋から直ぐに出て１階に移動するように」などと指示をしたり、お年寄りの部屋(３)にいるお年寄りに「寝室で火事ですので、外へ出て下さい」などと指示をすることができ、家族の避難を迅速に行うことができる。
【００４２】
このように本考案の異常発生源特定装置１０は、まず異常報知器が作動した位置をその発生現場にいなくても知ることができ、しかも持ち運びが自在であるために、住宅内での移動とともに本異常発生源特定装置１０を持ち運べば、例えば使用していない部屋が火元であっても、手元で異常を知ることができるため、直ぐに消化にあたることが可能であり、異常に対して迅速に対処することができる。
【００４３】
なお上記説明では、異常発生源特定装置１０は、個人住宅５０内に一つ有る場合を例に説明したが、特に数に限定はなく、例えば家族全員が所持するようにしても良いものである。
【００４４】
また、異常報知器として火災報知器と緊急報知器を例に説明をしたが、これ以外にもガス漏れ検知器や浸入者検知器などであっても良いものであり、本考案の目的を逸脱しない範囲での種々の変更が可能なものである。
【図面の簡単な説明】
【００４５】
【図１】図１は、本考案の異常発生源特定装置の概略構造を示した概略構造図である。
【図２】図２は、本考案の異常発生源特定装置の外観を示した外観図である。
【図３】図３は、本考案の異常発生源特定装置を用いた個人住宅の例を示した説明図である。
【符号の説明】
【００４６】
１０・・・異常発生源特定装置
１２・・・光信号発生手段
１４・・・音声信号発生手段
１６・・・表示部
１８・・・記憶手段
２０・・・受信部
２２・・・動力源
３０・・・火災報知器
４０・・・緊急報知器
５０・・・個人住宅
【図１】
0003143641.tif 000003
【図２】
0003143641.tif 000004
【図３】
0003143641.tif 000005